(57)【要約】【課題】自動製函機を用いることなく形成することのできる、十分な閉保持力を有する閉保持機構を具備した箱を提供する。【解決手段】  収納部２０、収納部２０の上部開口に対して開閉する蓋部４０、蓋部４０の閉状態で蓋部４０の閉状態を保持する閉保持機構６０を備える箱１０において、蓋部４０は、天面部４２及び外側部４４ａ及び内側部４４ｂを有する二重壁部として構成された前面壁覆い部４４を備えるとともに、閉保持機構６０は、前面覆い部４４の内側部４４ｂ内に形成された所定方向に延在する切断線６４と、前面壁２２の上端縁２２ａを収納部２０の外側に折曲して形成され、蓋部４０が閉状態の際に切断線６４の下部端縁６４ａに当接する端縁を有する係合用舌片６２と、を備える。【選択図】図１
2011140318.tif 000002
【特許請求の範囲】
【請求項１】
前面壁及び複数の側壁を有する有底かつ上部開口の収納部と、前記前面壁と対向する側壁の上端縁から延在して該上端縁を回動軸部として回動して前記収納部の上部開口に対して開閉する蓋部と、該蓋部の閉状態で前記蓋部の閉状態を保持する閉保持機構と、を備える箱において、
前記蓋部は、
前記回動軸部から連続して前記収納部の上部開口を覆う天面部と、
該天面部から延在する延在部を前記回動軸部と平行な折曲線で内方へ折曲して外側部を形成し該外側部を更に内方に折曲して内側部を形成して前記外側部と前記内側部とを有する二重壁部として構成されて前記閉状態で前記前面壁の上部範囲を覆う前面壁覆い部と、を備え、
前記閉保持機構は、
前記前面覆い部の内側部内に形成された所定方向に延在する切断線と、
前記前面壁の上端縁を前記収納部の外側に折曲して形成され、前記蓋部が閉状態の際に前記切断線の下部端縁に当接する端縁を有する係合用舌片と、
を備えることを特徴とする箱。
【請求項２】
前記切断線は、
前記蓋部の閉状態で前記回動軸部と平行して前記内側部の幅方向において所定長延在することを特徴とする請求項１に記載の箱。
【請求項３】
前記蓋部は、
前記回動軸部を介して前記前面壁と対向する側壁の上端縁と連続して平面視略矩形に形成された天面部と、
該天面部の先端縁から前記天面部の幅方向に延在する天面部山折線を介して前記天面部から連続して平面視略矩形に形成された前記前面壁覆い部の外側部と、
該外側部の先端縁から前記外側部の幅方向に延在する前面壁覆い部山折線を介して前記外側部から連続して平面視略矩形に形成された前記前面壁覆い部の内側部と、を備え、
前記天面部を前記回動軸部において山折して前記収納部の上部開口を覆うとともに前記外側部を前記天面部山折線において山折りし、かつ前記内側部を前記覆い部山折線において山折して該内側部を前記外側部に重ね合わせることを特徴とする請求項１または２に記載の箱。
【請求項４】
前記蓋部は、
前記天面部の両側部から側面山折線を介して前記天面部から連続して平面視略矩形に形成された側面部と、
該各側面部の上部と前記前面壁覆い部の外側部の両側部との間で前記各側面部と前記外側部と連続して形成された折込部と、を備え、
前記側面部が前記側面山折線において山折りされるとともに前記外側部の山折りに追従させて前記折込部を折り込んで前記外側部と前記内側部との間に介装させることを特徴とする請求項１〜３のいずれか１項に記載の箱。
【請求項５】
前記切断線は、
前記内側部の略中央部分において該内側部の幅方向に切り込まれて前記蓋部の閉状態で下部に配置される第１端縁及び該第１端縁と対向して前記蓋部の閉状態で上部に配置される第２端縁を有し、前記第１端縁に撓みが生じたスリットで形成され、
前記係合用舌片は、
前記収納部の前面壁の上端縁における略中央部分でフラップとして形成された、
ことを特徴とする請求項１〜４のいずれか１項に記載の箱。
【請求項６】
前記フラップは、
当該フラップに対して前記収納部の外側に更に突出する突起片が両端に形成されたことを特徴とする請求項５に記載の箱。
【発明の詳細な説明】
【技術分野】
【０００１】
本発明は、箱、特に、繰り返しの開閉が可能で、かつ閉状態において蓋部を収納部に閉保持する閉保持機構を具備する箱に関する。
【背景技術】
【０００２】
例えば、チョコレート菓子やスナック菓子等を梱包する商品の箱には、有底、有蓋かつ側面部を有するボックス状に形成された箱が使用されることがある。かかる箱の蓋を一旦開放した後に閉蓋して、この閉蓋状態を簡易に保持可能とし、蓋を開閉させる技術が、種々提案されている。
【０００３】
特許文献１として、蓋部が閉蓋状態において保持される開閉紙箱が開示されている。この特許文献１で開示される開閉紙箱について、図１３に基づいて説明する。図１３（ａ）及び（ｂ）で示すように、開閉紙箱１００は、天面部１０２、天面部１０２と連続する前面部１０４及び前面部１０４と対向する後面部１０６を有するボックス状に形成される。後面部１０６の上端縁１０６ａの両側部から天面部１０２、及び天面部１０２から前面部１０４に亘って一対の破断線１０８が形成され、前面部１０４の下部側に突出する摘み片１１０が破断線１０８によって形成されている。
【０００４】
前面部１０４の摘み片１１０をつまみ上げて引き上げると、前面部１０４から天面部１０２に亘って形成された破断線１０８が破断されて蓋部１０２ａが形成され、後面部１０６の上端縁１０６ａを回動軸部として蓋部１０２ａが開閉する。図１３（ｃ）において図１３（ｂ）のＡ部拡大図を示すように、前面部１０４には摘み片挿入部１１２が形成されている。摘み片挿入部１１２は、開閉紙箱１００の幅方向に延在して形成されたスリット１１２ａ、及びスリット１１２ａの上部にスリット長よりも短尺に切り欠かれて形成された凹部１１２ｂを備える。
【０００５】
一旦開放されて形成された蓋部１０２ａを閉蓋すべく摘み片１１０をスリット１１２ａに挿入する際は、スリット１１２ａの上部に凹部１１２ｂが形成されてスリット１１２ａの開口端が拡大されているので、挿入を容易に行うことができる。
【０００６】
しかし、摘み片１１０が摘み片挿入部１１２に挿入された状態では、開閉紙箱１００に振動や衝撃が付与されると、摘み片１１０が摘み片挿入部１１２から抜け出して蓋部１０２ａの閉状態が解除されてしまい、十分な閉保持力が得られないことが懸念される。また、破断線１０８が破断されて蓋部１０２ａが形成されるので、破断線１０８によって開閉紙箱１００の意匠性が損なわれることが懸念される。
【０００７】
そこで、意匠性を備えるとともに、蓋部の閉蓋時に、蓋部と収納部とが節度を有して十分な閉保持力をもって係合する閉保持機構を具備した紙箱が広く知られている。この閉保持機構を具備する紙箱について、図１４及び図１５に基づいて説明する。図１４で示すように、紙箱１３０は、蓋部１３２及び収納部１３４を備え、蓋部１３２が収納部１３４に対して回動軸部１３６を回動軸として開閉するように形成される。
【０００８】
蓋部１３２は、天面部１３２ａ、前面壁覆い部１３２ｂ、両側面部１３２ｃを有して形成され、両側面部１３２ｃにおける前面壁覆い部１３２ｂ側の端部が、蓋部山折線１３２ｅで紙箱１３０の幅方向内方に折曲されて係止部１４０が形成されている。係止部１４０は、糊代面を兼ねる取付部１４０ａ及び取付部１４０ａから蓋部１３２の幅方向内方に突出するフック１４０ｂを備え、フック１４０ｂと前面壁覆い部１３２ｂの内側面１３２ｄとの間に極微小な隙間１４０ｃを介在させて、取付部１４０ａが前面壁覆い部１３２ｂの内側面１３２ｄに糊付けされて固着されている。
【０００９】
収納部１３４は、前面壁１３４ａを有する有底のボックス状に形成され、前面壁１３４ａの上端縁には、蓋部１３２に形成されたフック１４０ｂの対応部分に、係合用突起１４２が形成されている。この係合用突起１４２は、前面壁１３４ａの外側に向かって折り曲げられて形成されている。
【００１０】
図１５は、図１４のＩ−Ｉ線断面図によって、上記閉保持機構を具備した紙箱１３０の開閉状態の概略を説明する図である。図１５（ａ）で示すように、蓋部１３２を収納部１３４に対して閉蓋させるべく、蓋部１３２を矢線Ｃで示す閉蓋方向に回動させると、図１５（ｂ）で示すように、フック１４０ｂが係合用突起１４２に押圧されつつ、収納部１３４の係合用突起１４２上を摺動する。蓋部１３２が更に閉蓋方向Ｃに回動されると、図１５（ｃ）で示すようにフック１４０ｂが係合用突起１４２上を通過し、フック１４０ｂと内側面１３２ｄとの間の段差によって、内側面１３２ｄの押圧により係合用突起１４２に発生した弾発力が作用して、係合用突起１４２が蓋部１３２の前面壁覆い部１３２ｂの内面壁１３２ｄ側に跳ね返る。図１５（ａ）の矢線Ｏで示す開蓋方向への蓋部１３２の復元力によって係合用突起１４２が蓋部１３２の前面壁覆い部１３２ｂの内側面１３２ｄを摺動すると、図１５（ｄ）で示すようにフック１４０ｂと内側面１３２ｄとの間の隙間１４０ｃに係合用突起１４２が入り込んで、係合用突起１４２とフック１４０ｂとが係合して、蓋部１３２が閉蓋されて閉保持される。
【００１１】
次に、蓋部１３２の開蓋方向Ｏへの動作状態を説明する。
【００１２】
図１５（ｅ）で示すように、蓋部１３２を収納部１３４に対して開蓋させるべく蓋部１３２を開蓋方向Ｏに回動させると、図１５（ｆ）で示すように、係合用突起１４２がフック１４０ｂと内側面１３２ｄとに挟持されて蓋部１３２の開蓋方向Ｏへの回動に追従する。そして、図１５（ｇ）で示すように、係合用突起１４２がフック１４０ｂと内側面１３２ｄとの間の隙間１４０ｃから抜け出して蓋部１３２の閉保持が解除され、図１５（ｈ）で示すように、蓋部１３２が収納部１３４に対して開蓋される。係合用突起１４２はその復元力によって、前面壁１３４ａの外側に向かって折曲された状態に回復せしめられる。
【００１３】
このような閉保持機構を具備した紙箱１３０は、印刷業者によって型抜き等の工程を経て製造されたうえで、輸送コストを削減すべく、製函前の平面状のいわゆるブランクスの状態で、紙箱１３０に自社の商品を梱入して販売する商品製造販売業者に納入される。商品製造販売業者は、納入されたブランクスの状態の紙箱１３０を、紙箱の組立て及び糊付け、商品の梱入までを連続して行う自動製函機を用いて、係止部１４０の取付部１４０ａを蓋部１３２の内側面１３２ｄに糊付けして固着させ、紙箱１３０に商品を梱入する。
【先行技術文献】
【特許文献】
【００１４】
【特許文献１】特開平９−１９３９２６号公報
【発明の概要】
【発明が解決しようとする課題】
【００１５】
上記のように、紙箱１３０は、係止部１４０の取付部１４０ａが蓋部１３２の内側面１３２ｄに糊付けされていない平面状のブランクス状態で商品製造販売業者に納入されるので、商品製造販売業者が紙箱１３０の閉保持機構を形成する場合は、取付部１４０ａを蓋部１３２の内側面１３２ｄに自動製函機を用いて固着させる必要がある。従って、商品製造販売業者は、印刷業者から自動製函機をブランクスの状態の紙箱１３０とセットで購入しなければならないこととなる。しかも、同じ閉保持機構を具備した紙箱であっても、紙箱の寸法の違いにより使用できる自動製函機の種類も異なる場合がある、すなわち自動製函機の汎用性が低いので、上記閉保持機構を具備した紙箱が商品パッケージの変更等によって変わるたびに、新たな紙箱とこの紙箱に適用できる自動製函機を、改めてセットで購入する必要がある。
【００１６】
自動製函機は高価であり、上記閉保持機構を具備した紙箱を使用する際のコストが増大することが懸念される。また、小口生産される商品に、高価な自動製函機を用いて製造された閉保持機構を用いた紙箱を使用すると、商品の製造コストの回収が困難になることも懸念される。
【００１７】
本発明は、上記課題に鑑みてなされたものであり、その目的は、自動製函機を用いることなく形成することのできる上記閉保持機構を具備した箱を提供することにある。
【課題を解決するための手段】
【００１８】
上記目的を達成するための請求項１に記載の発明による箱は、前面壁及び複数の側壁を有する有底かつ上部開口の収納部と、前記前面壁と対向する側壁の上端縁から延在して該上端縁を回動軸部として回動して前記収納部の上部開口に対して開閉する蓋部と、該蓋部の閉状態で前記蓋部の閉状態を保持する閉保持機構と、を備える紙箱において、前記蓋部は、前記回動軸部から連続して前記収納部の上部開口を覆う天面部と、該天面部から延在する延在部を前記回動軸部と平行な折曲線で内方へ折曲して外側部を形成し該外側部を更に内方に折曲して内側部を形成して前記外側部と前記内側部とを有する二重壁部として構成されて前記閉状態で前記前面壁の上部範囲を覆う前面壁覆い部と、を備え、前記閉保持機構は、前記前面覆い部の内側部内に形成された所定方向に延在する切断線と、前記前面壁の上端縁を前記収納部の外側に折曲して形成され、前記蓋部が閉状態の際に前記切断線の下部端縁に当接する端縁を有する係合用舌片と、を備えることを特徴とする。
【００１９】
この構成によれば、蓋部を閉方向に回動させて蓋部が閉位置に到達すると、係合用舌片の端縁が切断線の下部端縁に当接し、蓋部の復元力による開蓋方向への回動が係合用舌片の端縁と切断線の下部端縁との当接により生じる摩擦力によって抑制されて、蓋部が閉保持される。一方、蓋部を開方向へ回動させると、係合用舌片の端縁と切断線の下部端縁とが互いに当接しているので開蓋に抗するものの、蓋部の閉保持力を上回る開方向への力の付与により、蓋部に容易に撓みが生じて開蓋される。従って、内側部に切断線を形成しかつ収納部の前面壁に係合用舌片を形成する簡易な構成によって、十分な閉保持力を有する閉保持機構を具備した箱を得ることができる。
【００２０】
この閉保持機構を具備した箱の蓋部は、糊付けすることなく形成することができるので、専用の自動製函機を用いることなく、前面壁覆い部の内側部に切断線が形成された蓋部を折り畳み形成することで、上記閉保持機構を具備した箱を得ることができる。
【００２１】
請求項２に記載の発明による箱は、請求項１に記載の箱において、前記切断線は、前記蓋部の閉状態で前記回動軸部と平行して前記内側部の幅方向において所定長延在することを特徴とする。
【００２２】
この構成は、請求項１の係合用舌片の内容を具体的に明らかにしたものであり、切断線が回動軸部と平行して前面壁覆い部の内側部の幅方向に延在しているので、係合用舌片の端縁と切断線の下部端縁との係合が容易に実現され、閉保持力の精度が更に高められた閉保持機構を具備する箱を得ることができる。
【００２３】
請求項３に記載の発明による箱は、請求項１または２に記載の箱において、前記蓋部は、前記回動軸部を介して前記前面壁と対向する側壁の上端縁と連続して平面視略矩形に形成された天面部と、該天面部の先端縁から前記天面部の幅方向に延在する天面部山折線を介して前記天面部から連続して平面視略矩形に形成された前記前面壁覆い部の外側部と、該外側部の先端縁から前記外側部の幅方向に延在する前面壁覆い部山折線を介して前記外側部から連続して平面視略矩形に形成された前記前面壁覆い部の内側部と、を備え、前記天面部を前記回動軸部において山折して前記収納部の上部開口を覆うとともに前記外側部を前記天面部山折線において山折りし、かつ前記内側部を前記覆い部山折線において山折して該内側部を前記外側部に重ね合わせることを特徴とする。
【００２４】
この構成は、請求項１または２の蓋部の内容を具体的に明らかにしたものであり、回転軸部を介して収納部から連続する天面部、前面壁覆い部の外側部、覆い部の内側部が連続して形成されているので、これらが順次折り畳まれて蓋部が形成される。従って、自動製函機を用いない簡易な折り畳み構造によって閉保持機構の切断線を有する蓋部を形成することができるので、製造コスト及び作業負担を抑制したうえで請求項１または２の発明の効果を具体的に実現できる。
【００２５】
請求項４に記載の発明による箱は、請求項１〜３のいずれか１項に記載の箱において、前記蓋部は、前記天面部の両側部から側面山折線を介して前記天面部から連続して平面視略矩形に形成された側面部と、該各側面部の上部と前記前面壁覆い部の外側部の両側部との間で前記各側面部と前記外側部と連続して形成された折込部と、を備え、前記側面部が前記側面山折線において山折りされるとともに前記外側部の山折りに追従させて前記折込部を折り込んで前記外側部と前記内側部との間に介装させることを特徴とする。
【００２６】
この構成は、請求項１〜３のいずれか１項の蓋部の内容を具体的に明らかにしたものであり、蓋部が、天面部の両側部から連続する側面部と、側面部と前面壁覆い部の外側部との間で展在する折込部とを備えているので、蓋部の組立精度及び組付強度を得ることができる。従って、より確実に、十分な閉保持力を有する閉保持機構を具備した箱を得ることができる。
【００２７】
請求項５に記載の発明による箱は、請求項１〜４のいずれか１項に記載の箱において、前記切断線は、前記内側部の略中央部分において該内側部の幅方向に切り込まれて前記蓋部の閉状態で下部に配置される第１端縁及び該第１端縁と対向して前記蓋部の閉状態で上部に配置される第２端縁を有し、前記第１端縁に撓みが生じたスリットで形成され、前記係合用舌片は、前記収納部の前面壁の上端縁における略中央部分でフラップとして形成された、ことを特徴とする。
【００２８】
この構成によれば、スリットが形成された内側部は外側部から山折りされて折り畳んで形成されているので、折り畳みの復元方向側である蓋部の閉状態で下部に配置される第１端縁には、内側部に作用する復元力によって撓みが発生する。従って、蓋部を閉方向に移動させると、収納部の前面壁の上端縁における略中央部分に形成されたフラップが押圧され、撓みが生じた第１端縁と撓みが生じていない第２端縁との間の段差においてフラップに弾発力が作用し、フラップをスリットに確実に係合させることができる。従って、蓋部の収納部に対する閉保持力が十分に保持される。
【００２９】
請求項６に記載の発明による箱は、請求項５に記載の箱において、前記フラップは、当該フラップに対して前記収納部の外側に更に突出する突起片が両端に形成されたことを特徴とする。
【００３０】
この構成によれば、フラップの両端には、フラップに対して収納部の外側に更に突出する突起片が形成されているので、蓋部の閉状態において、突起片が蓋部の前面壁覆い部における内側部に押圧されて、フラップとスリットの当接による蓋部の閉保持力が補強される。
【発明の効果】
【００３１】
この発明によると、蓋部を閉方向に回動させて蓋部が閉位置に到達すると、係合用舌片の端縁が切断線の下部端縁に当接し、蓋部の復元力による開蓋方向への回動が係合用舌片の端縁と切断線の下部端縁との当接により生じる摩擦力によって抑制されて、蓋部が閉保持される。一方、蓋部を開方向へ回動させると、係合用舌片の端縁と切断線の下部端縁とが互いに当接しているので開蓋に抗するものの、蓋部の閉保持力を上回る開方向への力の付与により、蓋部に容易に撓みが生じて開蓋される。従って、内側部に切断線を形成しかつ収納部の前面壁に係合用舌片を形成する簡易な構成によって、十分な閉保持力を有する閉保持機構を具備した箱を得ることができる。また、蓋部の閉蓋時及び開蓋時に、蓋部に形成された切断線と収納部に形成された係合用舌片とが節度を有して係合するので、開閉時の箱の質感の向上を図ることができる。
【００３２】
この閉保持機構を具備した箱の蓋部は、糊付けすることなく形成することができるので、専用の自動製函機を用いることなく、前面壁覆い部の内側部に切断線が形成された蓋部を折り畳み形成することで、上記閉保持機構を具備した箱を得ることができる。
【００３３】
その結果、上記閉保持機構を具備した箱を用いて商品の梱入及び販売を行う商品製造業者は、専用の自動製函機を購入する必要がなくなるので、製造コストを抑制した上で、上記閉保持機構を具備した箱によって商品を梱入して販売することができる。
【００３４】
一方、上記箱の製造販売を行う印刷業者においても、上記箱の製造に際して、既存の設備を用いて上記閉保持機構を具備した箱を製造することができるので、製造コストを抑制して上記閉保持機構を具備した箱を得ることができる。
【図面の簡単な説明】
【００３５】
【図１】本発明の実施の形態に係る箱が展開されたブランクスの状態の概略を説明する図である。
【図２】本実施の形態に係る箱の概略を説明する図である。
【図３】本実施の形態に係る箱の起函を説明する図である。
【図４】同じく、本実施の形態に係る箱の起函を説明する図である。
【図５】同じく、本実施の形態に係る箱の起函を説明する図である。
【図６】同じく、本実施の形態に係る箱の起函を説明する図である。
【図７】同じく、本実施の形態に係る箱の起函を説明する図である。
【図８】図７のＶＩＩＩ−ＶＩＩＩ線断面図及び図７のＩＸ−ＩＸ線断面図によって、箱の概略を説明する図である。
【図９】同じく、図７のＶＩＩＩ−ＶＩＩＩ線断面図及び図７のＩＸ−ＩＸ線断面図によって、箱の概略を説明する図である。
【図１０】本実施の形態に係る箱の底部を、別の構成方式を用いて形成する場合の概略を説明する図である。
【図１１】同じく、本実施の形態に係る箱の底部を、別の構成方式を用いて形成する場合の概略を説明する図である。
【図１２】同じく、本実施の形態に係る箱の底部を、別の構成方式を用いて形成する場合の概略を説明する図である。
【図１３】従来の開閉紙箱の構造の概略を説明する図である。
【図１４】従来の閉保持機構を具備した紙箱の概略を説明する図である。
【図１５】図１４のＩ−Ｉ線断面図を用いて従来の閉保持機構を具備した紙箱の開閉状態の概略を説明する図である。
【発明を実施するための形態】
【００３６】
次に、本発明の実施の形態について、図１〜図９に基づいて説明する。なお、本実施の形態において、箱が紙箱である場合を例とし、また、箱の構造が、ブランクスの状態の紙箱を起函すると底部が自動的に形成されるオートロックボトム形式の紙箱である場合を例とし、更に、紙箱に商品を梱入して販売する業者が製菓業者である場合を例として説明する。
【００３７】
図１は、本実施の形態における紙箱１０が展開されたブランクス１２の概略を説明する図である。図示のように、ブランクス１２は、起函されると収納部２０及び蓋部４０が形成されて、後述する図６で示すような紙箱１０が構成され、収納部２０に形成された係合用舌片すなわちフラップ６２及び蓋部４０に形成された切断線すなわちスリット６４によって、蓋部４０の閉蓋状態で、後述する図８（ｃ）で示すような閉保持機構６０が構成される。
【００３８】
収納部２０は、前面壁２２、及び側壁となる後面壁２４と収納部第１側面２６ａと収納部第２側面２６ｂとを備え、更に底部３０を主要構成として備える。一方、蓋部４０は、天面部４２、及び外側部４４ａと内側部４４ｂとを有する前面壁覆い部４４、蓋部第１側面部４８ａ、蓋部第２側面部４８ｂを主要構成として備える。
【００３９】
まず、収納部２０について説明する。収納部２０は、前面壁２２及び複数の側壁を有する有底で、起函状態において上部が開放された平面視略矩形に形成され、展開状態の一端側に糊代２２ｂが配置され、糊代２２ｂから収納部第１山折線２８ａ〜収納部第４山折線２８ｄをそれぞれ介して平面視略矩形の前面壁２２、収納部第１側面２６ａ、後面壁２４、及び収納部２０の他端側に配置される収納部第２側面２６ｂが連続して順次形成される。
【００４０】
前面壁２２の上端縁２２ａには、起函状態で収納部２０の外側に折曲して上端縁２２ａの略中央部分が係合用舌片の端縁となるフラップ６２が構成される。上端縁２２ａは凹状に形成され、かつ上端縁２２ａにおける糊代２２ｂ側から前面壁２２の内方に向かって延在するとともに収納部第１側面部２６ａ側に湾曲して延在する第１切込み線２２ｃが形成され、上端縁２２における収納部第１側面部２６ａ側から前面２２の内方に向かって延在するとともに糊代２２ｂ側に湾曲して延在する第２切込み線２２ｄがそれぞれ形成される。そして、第１切込み線２２ｃと第２切込み線２２ｄとの間を連結するフラップ谷折線６２ａが形成されている。
【００４１】
収納部第１側面部２６ａと収納部第２側面部２６ｂには、側面視略Ｅ字状に切り込まれて形成された係合部２６ｃが形成されている。
【００４２】
収納部２０の前面壁２２の下部には、底部第１山折線３４ａを介して平面視略台形の第１底部片３２ａが前面壁２２と連続して形成され、収納部第１側面２６ａの下部には、底部第２山折線３４ｂを介して平面視略台形の第２底部片３２ｃが収納部第１側面部２６ａと連続して形成される。同様に、後面壁２４の下部には、底部第３山折線３４ｃを介して平面視略台形の第３底部片３２ｄが後面壁２４と連続して形成され、収納部第２側面部２６ｂの下部には、底部第４山折線３４ｄを介して平面視略台形の第４底部片３２ｆが収納部第２側面部２６ｂと連続して形成される。
【００４３】
第１底部片３２ａには、底部第１谷折線３６ａを介して平面視略台形の第１曲げ片３２ｂが第１底部片３２ａと連続して形成され、第１底部片３２ａと第１曲げ片３２ｂとの間には、起函時に第３底部片３２ｄと係合する第１凹部３２ｇが形成される。同様に、第３底部片３２ｄには、底部第２谷折線３６ｂを介して第２曲げ片３２ｅが第３底部片３２ｄと連続して形成され、第３底部片３２ｄと第２曲げ片３２ｅとの間には、起函時に第１底部片３２ａと係合する第２凹部３２ｈが形成される。
【００４４】
これら第１底部片３２ａ、第１曲げ片３２ｂ、第２底部片３２ｃ、第３底部片３２ｄ、第２曲げ片３２ｅ及び第４底部片３２ｆによって、底部３０が構成される。
【００４５】
次に、蓋部４０について説明する。蓋部４０は、天面部４２及び二重壁部として構成される前面壁覆い部４４を主要構成として備え、後面壁２４の上端縁を回動軸部として、起函状態で収納部２０の上部に対して開閉するように構成される。蓋部４０は、展開状態において、収納部２０の後面壁２４の上端縁から回動軸部となる蓋部第１山折線５４ａを介して平面視略矩形に形成された天面部４２が連続して形成される。そして、天面部４２の先端縁から連続して天面部山折線となる蓋部第２山折線５４ｂを介して平面視略矩形に形成された外側部４４ａ、外側部４４ａの先端縁から連続して前面壁覆い部山折線となる蓋部第３山折線５４ｃを介して平面視略矩形に形成された内側部４４ｂを有する前面壁覆い部４４が形成される。更に、内側部４４ｂの先端縁から連続して蓋部谷折線５８ａを介して平面視略矩形に形成された押さえ部５０が形成される。これら、天面部４２と連続して蓋部第１山折線５４ａから離間する方向に連続する前面壁覆い部４４、押さえ部５０によって、延在部が構成される。
【００４６】
内側部４４ｂの蓋部第３山折線５４ｃ側における内側部４４ｂの幅方向略中央部分には、蓋部第１山折線５４ａと平行して、幅方向に切り込まれて蓋部４０の閉状態で下部に配置される開口第１端縁６４ａ及び開口第１端縁６４ａと対向して蓋部４０の閉状態で上部に配置される開口第２端縁６４ｂを有する切断線となるスリット６４が形成される。
【００４７】
蓋部４０の天面部４２の両側部には、側面第１山折線５６ａを介して平面視略矩形の蓋部第１側面４８ａ及び側面第２山折線５６ｂを介して平面視略矩形の蓋部第２側面４８ｂが天面部４２と連続して形成されて、側面部が構成される。
【００４８】
この蓋部第１側面部４８ａの上部には、側面第３山折線５６ｃを介して平面視略扇状の第１折込部５２Ａａが蓋部第１側面部４８ａと連続して形成され、第１折込面５２Ａａから側面第１谷折線５９ａを介して平面視略扇状の第２折込部５２Ａｂが第１折込部５２Ａａと連続して形成され、この第２折込部５２Ａｂが側面第５山折線５６ｅを介して外側部４４ａの側部に連続して形成されて、折込部５２Ａが形成される。同様に、蓋部第２側面４８ｂの上部と外側部４４ａの側部との間にも、蓋部第２側面４８ｂ側から外側部４４ａの側部に移行するに従って、側面第４山折線５６ｄ、側面第２谷折線５９ｂ、側面第６山折線５６ｆを順次介して、第１折込部５２Ｂａ及び第２折込部５２Ｂｂを有する折込部５２Ｂが形成される。
【００４９】
蓋部第１側面部４８ａと蓋部第２側面部４８ｂの下端縁には、下端縁から蓋部第１側面部４８ａと蓋部第２側面部４８ｂの内方側へ向かう山型で、山型の稜線が溝で形成されて稜線から連続する頂部が切り込まれたフック部４８ｃが形成される。
【００５０】
上記構成を有するブランクス１２は、印刷業者によって型抜きして形成される。型抜きされたブランクス１２は、印刷業者の既存の設備、すなわち、ブランクス１２の糊付けや折り込みを行う図示しない自動糊付け機によって、前面壁２２、後面壁２４がそれぞれ収納部第２山折線２８ｂ、収納部第４山折線２８ｄにおいて山折りされて折り込まれるとともに、第１底部片３２ａ、第２底部片３２ｃ、第３底部片３２ｄ、第４底部片３２ｆが、底部第１山折線３４ａ〜底部第４山折線３４ｄにおいて山折りされて折り込まれる。更に、第１曲げ片３２ｂ、第２曲げ片３２ｅが、底部第１谷折線３６ａ、底部第２谷折線３６ｂにおいて谷折りされて折り込まれる。
【００５１】
更に、自動糊付け機によって、第２底部片３２ｃに接着糊が付着され、第１曲げ片３２ｂがその上側に重ね合わせられて第１曲げ片３２ｂと第２底部片３２ｃとが接着される。同様に、第４底部片３２ｆに接着糊が付着され、第２曲げ片３２ｅがその上側に重ね合わせられて第２曲げ片３２ｅと第４底部片３２ｆとが接着される。その後、収納部２０の一端側の糊代２２ｂに接着糊が付着され、この糊代２２ｂと、収納部２０の他端側の収納部第２側面部２６ｂの開放端とが重ね合わせられて収納部２０の前面壁２２と収納部第２側面部２６ｂとが接着される。
【００５２】
上記の工程により、ブランクス１２から、図２で示す紙箱１０が印刷業者によって製造される。図示のように、紙箱１０は起函前の折り畳み状態であり、この状態において製菓業者に納品される。
【００５３】
次に、製菓業者による紙箱１０の起函作業について説明する。
【００５４】
図３〜６は、ブランクス１２−１から紙箱１０を起函する場合の説明図である。図３で示すように、ブランクス１２−１の状態の紙箱１０は、まず、収納部２０から起函される。収納部第１山折線２８ａを山折りして、糊代２２ｂと接着された収納部第２側面部２６ｂを起立させる。同時に、収納部第３山折線２８ｃを山折りして、収納部第１側面部２６ａを起立させる。これら収納部第２側面部２６ｂ及び収納部第１側面部２６ａの起立に追従して、前面壁２２が起立されて、後面壁２４と対向する。このとき、収納部第２山折線２８ｂ及び収納部第４山折線２８ｄは既に山折りされているので、収納部第２側面部２６ｂ、収納部第１側面部２６ａ及び前面壁２２の起立が補助される。
【００５５】
収納部第２側面部２６ｂ及び収納部第１側面部２６ａの起立に伴い、底部第１谷折線３６ａにおいて谷折りされて折り畳まれていた第１曲げ片３２ｂが開き、第１曲げ片３２ｂの開動作に追従して、第１曲げ片３２ｂに接着されるとともに底部第２山折線３４ｂにおいて山折りされて折り畳まれていた第２底部片３２ｃが開き、底部第１山折線３４ａにおいて山折りされて折り畳まれていた第１底部片３２ａが開く。同様に、第２曲げ片３２ｅが開き、第２曲げ片３２ｅの開動作に追従して第４底部片３２ｆが開くとともに、第３底部片３２ｄが開く。
【００５６】
これら第１底部片３２ａと第２底部片３２ｃ、及び第３底部片３２ｄと第４底部片３２ｆの開動作に伴い、第１底部片３２ａに形成された第１凹部３２ｇと第３底部片３２ｄに形成された第２凹部３２ｈとが係合して、第１底部片３２ａ及び第２底部片３２ｃと、第３底部片３２ｄ及び第４底部片３２ｆとが開状態で保持されて底部３０が自動的に形成され、収納部２０が起函される。
【００５７】
収納部２０の起函に続いて、蓋部４０の起函が実行される。
【００５８】
図４で示すように、蓋部４０の起函作業は、蓋部４０の蓋部第１側面部４８ａ及び蓋部第２側面部４８ｂが順不同で折り畳まれるとともに、外側部４４ａが折り畳まれる。まず、蓋部第１側面部４８ａと折込部５２Ａとが、側面第１山折線５６ａ及び側面第５山折線５６ｅにおいて山折りに折り畳まれる。同様に、蓋部第２側面部４８ｂと折込部５２Ｂとが、側面第２山折線５６ｂ及び側面第６山折線５６ｆにおいて山折りに折り畳まれる。そして、外側部４４ａが蓋部第２山折線５４ｂにおいて山折りに折り畳まれると同時に、折込部５２Ａの第１折込部５２Ａａと第２折込部５２Ａｂとが、側面第１谷折線５９ａにおいて谷折りに折り畳まれて重ね合わせられ、折込面５２Ｂの第１折込面５２Ｂａと第２折込面５２Ｂｂとが、側面第２谷折線５９ｂにおいて谷折りに折り畳まれて重ね合わせられる。
【００５９】
次に、図５で示すように、蓋部４０の外側部４４ａが蓋部第２山折線５４ｂにおいて山折りに折り畳まれる、すなわち、内方（閉蓋方向）に折り畳まれるとともに、蓋部４０の内側部４４ｂが蓋部第３山折線５４ｃにおいて山折りに折り畳まれ、第１折込部５２Ａａ、５２Ｂａと第２折込部５２Ａｂ、５２Ｂｂとが重ね合わせられた折込部５２Ａ、５２Ｂが外側部４４ａの裏側と内側部４４ｂの裏側との間に挟持される。同時に、押さえ部５０が蓋部谷折線５８ａにおいて谷折りに折り畳まれて、押さえ部５０の裏面が天面部４２の裏面に重ね合わせられて、蓋部２０が起函される。このとき、内側部４４ｂが蓋部第３山折線５４ｃにおいて山折りされることにより内側部４４ｂに作用する外側部４４ａ方向への復元力によって、起函された蓋部４０の閉蓋状態で下部に配置されるスリット６４の開口第１端縁６４ａに撓みが生じる。
【００６０】
蓋部４０の起函作業と前後して、収納部２０の前面壁２２の上端縁２２ａを、第１切込み線２２ｃ及び第２切込み線２２ｄ、フラップ谷折線６２ａにおいて谷折りに収納部２０の外側へ折り曲げてフラップ６２を形成する。フラップ６２は、凹状に形成された端縁となる上端縁２２ａが前面壁２２の幅方向に延在し、フラップ６２の両端には、フラップ６２に対して更に収納部２０の外側に突出する突起片６２ｂが形成される。
【００６１】
製菓業者による上記起函作業によって、図６で示す紙箱１０が形成され、この紙箱１０に製菓業者の商品が梱入されて、蓋部４０が収納部２０に対して閉蓋される。閉蓋状態において、収納部２０に形成された係合部２６ｃに、蓋部４０に形成されたフック部４８ｃを係合させると、蓋部４０が閉蓋状態でロックされる。
【００６２】
次に、図７〜図９を用いて、本実施の形態に係る紙箱１０が閉蓋及び開蓋される場合の閉保持機構６０の動作を説明する。
【００６３】
図７で示すように、蓋部４０は、天面部４２と後面壁２４との間の蓋部第１山折線５４ａを回動基端として、収納部２０に対して開閉自在に回動する。
【００６４】
図８（ａ）〜（ｃ）及び図９（ａ）〜（ｃ）は、図７のＶＩＩＩ−ＶＩＩＩ線断面図によって紙箱１０の概略を説明する図であり、図８（ｄ）〜（ｆ）及び図９（ｄ）〜（ｆ）は、図７のＩＸ−ＩＸ線断面図によって紙箱１０の概略を説明する図である。なお、各図において矢線Ｃは閉蓋方向、矢線Ｏは開蓋方向を示す。
【００６５】
図８（ａ）及び（ｂ）で示すように、蓋部４０を閉蓋方向Ｃへ回動させると、フラップ６２が蓋部４０の内側部４４ｂに当接するとともに押圧される。蓋部４０を更に閉蓋方向Ｃへ回動させると、フラップ６２は内側部４４ｂに押圧されながら内側部４４ｂ上を摺動する。そして、スリット６４の外側部４４ａ側の開口第１端縁６４ａに生じた撓みを乗り越えると、蓋部４０が閉位置に到達して、撓みが生じた開口第１端縁６４ａと撓みが生じていない開口第２端縁６４ｂとの間の段差によって、内側部４４ｂの押圧によりフラップ６２に発生した弾発力が作用して、図８（ｃ）で示すように、スリット６４の外側部４４ａ側の開口第１端縁６４ａの撓みによって、フラップ６２の上端縁２２ａがスリット６４の開口第１端縁６４ａと当接し、蓋部４０の復元力による開蓋方向Ｏへの回動がフラップ６２の端縁（上端縁２２ａ）とスリット６４の開口第１端縁６４ａとの当接により生じる摩擦力によって抑制される。
【００６６】
一方、図８（ｄ）及び（ｅ）で示すように、蓋部４０を閉蓋方向Ｃへ回動させると、フラップ６２の突起片６２ｂが蓋部４０の内側部４４ｂに当接するとともに押圧される。蓋部４０を更に閉蓋方向Ｃへ回動させると、突起片６２ｂは内側部４４ｂに押圧されながら内側部４４ｂ上を摺動する。そして、フラップ６２がスリット６４に係合すると、図８（ｆ）で示すように、突起片６２ｂは内側部４４ｂに押圧された状態で内側部４４ｂに係止する。
【００６７】
これにより、蓋部４０は収納部２０に対して閉保持される。
【００６８】
これに対して、図９（ａ）及び（ｂ）で示すように、蓋部４０を開蓋方向Ｏへ回動させると、フラップ６２の上端縁２２ａがスリット６４の開口第１端縁６４ａに当接してフラップ６２の上端縁２２ａとスリット６４の開口第１端縁６４ａとが互いに開蓋に抗するので、蓋部４０の収納部２０に対する閉保持は維持される。蓋部４０の閉保持力を上回る開方向の力が蓋部４０に作用すると、フラップ６２がスリット６４の開口第１端縁６２ａに持ち上げられてフラップ６２に弾発力が発生し、図９（ｃ）に示すように、フラップ６２に発生した弾発力によってフラップ６２の端縁（上端縁２２ａ）とスリット６４の開口第１端縁６４ａとの当接が解除され、蓋部４０の収納部２０に対する閉保持が解除される。
【００６９】
一方、図９（ｄ）及び（ｅ）で示すように、フラップ６２の突起片６２ｂが蓋部４０の内側部４４ｂに押圧されて当接している状態で、蓋部４０を開蓋方向Ｏへ回動させると、突起片６２ｂが内側部４４ｂによって撓ませられて突起片６２に弾発力が発生する。蓋部４０が更に開蓋方向Ｏへ回動されると、図９（ｆ）に示すように、突起片６２ｂが内側部４４ｂと収納部２０の前面壁２２との間から抜け出して、蓋部４０の収納部２０に対する閉保持が解除される。
【００７０】
上記構成を有する紙箱１０によれば、蓋部４０を閉蓋方向に回動させると、スリット６４が収納部２０の前面壁２２に形成されたフラップ６２に蓋部４０が閉保持される。すなわち、スリット６４を内側部４４ｂに形成しかつフラップ６２を前面壁２２に形成するという簡易な構成で、十分な閉保持力を有する閉保持機構６０を具備する紙箱１０を構成することができる。
【００７１】
しかも、スリット６４が形成された蓋部４０を糊付けする必要がないので、高価な自動製函機を用いることなく蓋部４０を折り畳んで構成することができる。従って、製菓業者等の商品製造販売業者は、自動製函機を購入する必要がないので、製造コストを抑制したうえで閉保持機構６０を具備した紙箱１０に商品を梱入して販売することができる。
【００７２】
一方、印刷業者にとっては、紙箱１０と自動製函機とのセット販売を行う必要がないので、紙箱１０の販売網の拡張を期すことができる。また、印刷業者にとっても、紙箱１０の製造のために新たな専用の機械を導入する必要がなく、既存の設備を用いて閉保持機構６０を具備した紙箱１０を製造することができるので、印刷業者においても紙箱１０の製造コストを抑制することができる。更に、蓋部４０の外側部４４ａにおける内側部４４ｂにスリット６４を形成するという簡易な構成なので、紙箱１０の製造作業時の負担を軽減することができる。
【００７３】
更に、通常の紙箱と同じように紙箱１０を製造できるので、小口生産される商品、例えばテスト販売される商品等に閉保持機構６０を具備した紙箱１０を使用しても、商品の製造コストの回収が困難となる可能性が低減される。
【００７４】
スリット６４の開口第１端縁６４ａは、内側部４４ｂが蓋部第３山折線５４ｃにおいて山折りされることにより内側部４４ｂに作用する外側部４４ａ方向への復元力によって撓みが生じているので、フラップ６２を押圧して弾発力を容易に生じさせることができる。従って、撓みが生じた開口第１端縁６４ａと撓みが生じていない開口第２端縁６４ｂとの間の段差において作用する弾発力によって、フラップ６２をスリット６４に確実に係合させることができるので、蓋部４０の収納部２０に対する閉保持力を高めることができる。
【００７５】
また、フラップ６２の両端には、フラップ６２に対して収納部２０の外側に更に突出する突起片６２ｂが形成されているので、蓋部４０の閉蓋状態において、突起片６２ｂが蓋部４０の前面壁覆い部４４における内側部４４ｂに押圧されて、フラップ６２とスリット６４の係合による蓋部４０の閉保持力が補強される。
【００７６】
蓋部４０の閉蓋状態において、係合部２６ｃにフック部４８ｃを係合させると、蓋部４０が閉蓋状態でロックされるので、フラップ６２とスリット６４が係合した状態で閉保持される蓋部４０の閉保持力を更に向上させることができる。
【００７７】
なお、本発明は上記実施の形態に限定されることはなく、発明の趣旨を逸脱しない範囲で種々変更可能である。例えば、図１０で示すように、ブランクス１２の状態の紙箱１０に中蓋７０を形成してもよい。
【００７８】
また、上記実施の形態では、底部３０が自動的に形成されるオートロックボトム形式の紙箱１０である場合を例として説明したが、図１１で示すように、底部８０を構成する各底部片８０−１〜８０−４がいずれも糊付けされておらず、紙箱１０を起函する際に底部８０を手組みするいわゆるアメリカン・ロックボトム（セミ・オートロックボトム）形式で構成してもよい。更に、図１２で示すように、収納部２０がトレー状に形成されるいわゆるトレーカートン形式で構成してもよい。
【００７９】
上記実施の形態では、箱が紙材で形成された場合を例として説明したが、プラスチック材で形成してもよい。
【００８０】
上記実施の形態では、紙箱１０に商品を梱入して販売する業者が製菓業者である場合を例として説明したが、紙箱に商品を梱入して販売する業者（例えば製薬業者）であればよく、製菓業者に限定されるものではない。
【符号の説明】
【００８１】
１０    紙箱
１２    ブランクス
２０    収納部
２２    前面壁
２２ａ  上端縁（端縁）
２４    後面壁
３０    底部
４０    蓋部
４２    天面部
４４    前面壁覆い部
４４ａ  外側部
４４ｂ  内側部
４８ａ  蓋部第１側面部（側面部）
４８ｂ  蓋部第２側面部（側面部）
５４ａ  蓋部第１山折線（回動軸部）
５４ｂ  蓋部第２山折線（天面部山折線）
５４ｃ  蓋部第３山折線（前面壁覆い部山折線）
５９Ａ、５９Ｂ    折込部
６０    閉保持機構
６２    フラップ
６２ｂ  突起片
６４    スリット
６４ａ  開口第１端縁（第１端縁）
６４ｂ  開口第２端縁（第２端縁）
【図１】
2011140318.tif 000003
【図２】
2011140318.tif 000004
【図３】
2011140318.tif 000005
【図４】
2011140318.tif 000006
【図５】
2011140318.tif 000007
【図６】
2011140318.tif 000008
【図７】
2011140318.tif 000009
【図８】
2011140318.tif 000010
【図９】
2011140318.tif 000011
【図１０】
2011140318.tif 000012
【図１１】
2011140318.tif 000013
【図１２】
2011140318.tif 000014
【図１３】
2011140318.tif 000015
【図１４】
2011140318.tif 000016
【図１５】
2011140318.tif 000017